(57)【要約】【課題】外枠と内枠との間に生じる隙間からの不正行為を防止することができるパチンコ機を安価に得る。【解決手段】外枠１２の肉厚を薄肉とした分、外枠１２と内枠との間には、隙間が設けられるが、外枠１２の内周壁に不正防止リブ１１８を立設させることで、隙間を埋めることができる。このように、不正防止リブ１１８によって外枠１２と内枠との間に設けられた隙間を埋めることで、隙間にピアノ線等を侵入させようとしても不正防止リブ１１８で隙間が塞がれているため、機器内部に不正具を侵入させることはできない。一方、外枠１２に不正防止リブ１１８を設けることで、下飾り部材は、単に保持板１０８の表面を覆うだけで良いため、壁部のようにアンダーカット部を設ける必要がない。従って、下飾り部材の金型機構を単純化することができ、その分金型費用を安くすることができる。【選択図】  図４
2004188067.tif 000002
【特許請求の範囲】
【請求項１】
略矩形状の外枠と、前記外枠に回動可能に軸支されると共に、前面側に遊技盤が設けられ裏面側に電子部品が配設された内枠と、を備えた遊技機において、
前記外枠が金型で一体成形され、前記外枠の内壁面側に、外枠の内壁面と前記内枠の外壁面との間に設けられた隙間を埋める不正防止リブが立設されたことを特徴とする遊技機。
【請求項２】
前記不正防止リブが前記外枠の内壁面の全周に渡って形成されたことを特徴とする請求項１に記載の遊技機。
【発明の詳細な説明】
【０００１】
【発明の属する技術分野】
本発明は、パチンコ機などの遊技機に関する。
【０００２】
【従来の技術】
パチンコ機では、外枠に対して内枠を開閉させるため、外枠と内枠との間には隙間が設けられており、この隙間からピアノ線又はセルロイド等の不正具を用いて機器内部に侵入させ、機器を不正に操作するという問題がある。
【０００３】
一方、近年では、装飾性の向上、軽量化及びコストダウンの観点から外枠の内側部分や内枠全体を樹脂成形品にする機種が増えている。この場合、成形加工による寸法精度のバラツキ、或いは組付け後の変形等を考慮して、該隙間を多少大きくする必要がある。このため、不正具が侵入し易くなってしまう。
【０００４】
従って、例えば、特願２００２−３３７７３号では、図８に示すように、外枠２００の下部前面２００Ａ及び下部上面２００Ｂを覆う合成樹脂製の下飾り部材２０２の上部側端部に略Ｔ字状の壁部２０２Ａを設け、下飾り部材２０２の前面に対して略平行となるようにしている。
【０００５】
この壁部２０２Ａは、内枠２０４を閉止させた状態で、一端側が内枠２０４の裏面に当接し、他端部が外枠２００の下部上面２００Ｂに当接するようになっている。これにより、外枠２００と内枠２０４の間に生じる隙間Ｈ1は塞がれることとなり、ピアノ線２０６等による不正具の侵入が防止される。
【０００６】
しかしながら、下飾り部材２０２の上部側端部に略Ｔ字状の壁部２０２Ａを設けるため、壁部２０２Ａの他端部側は、いわゆるアンダーカット部となってしまう。このため、下飾り部材２０２を成形する金型には、スライドコアを設けなければならず、金型機構が複雑となり、金型費用が高くなってしまう。
【０００７】
一方、特許文献１では、内枠の外周に補強リブを設けており、この補強リブがガラス扉枠や前面板の側端面を覆うことで、不正具の侵入防止を兼ねている。また、前面板の下縁部と下飾り部材の上端部との間に生じる隙間は、下飾り部材の上端面に、上方へ延出する当たり片を設けることで、該隙間を塞ぎ、不正具の侵入を防止している。この補強リブ及び当たり片は、アンダーカット部とならないため、スライドコア等を設ける必要はなく、簡易的な金型機構とすることができる。
【０００８】
ところで、下飾り部材の上端部の裏面側には、裏セット本体に賞球払出制御基板等が配設されている場合なども多く、また、不正行為を行なう者にとっては、下飾り部材の上端部の位置は、第三者からの死角になり易く、不正行為を行ない易い。
【０００９】
しかしながら、特許文献１の場合、内枠と下飾り部材が、それぞれ別部材であるため、それぞれの部材の寸法公差を考慮すると、下飾り部材の上端部の左右では、最大で片側約０．２〜０．３ｍｍ程度の隙間が生じることとなり、該隙間から不正具を侵入させることが可能となってしまう。
【００１０】
【特許文献１】
特開平９−１２２３３０号公報  （第２−４頁、第１図、第７図）
【００１１】
【発明が解決しようとする課題】
本発明は、上記事実を考慮し、外枠と内枠との間に生じる隙間からの不正行為を防止することができるパチンコ機を安価に提供することを課題とする。
【００１２】
【課題を解決するための手段】
請求項１に記載の発明は、略矩形状の外枠と、前記外枠に回動可能に軸支されると共に、前面側に遊技盤が設けられ裏面側に電子部品が配設された内枠と、を備えた遊技機において、前記外枠が金型で一体成形され、前記外枠の内壁面側に外枠の内壁面と前記内枠の外壁面との間に設けられた隙間を埋める不正防止リブが立設されたことを特徴としている。
【００１３】
請求項１に記載の発明では、外枠を金型で一体成形する。外枠を金属或いは合成樹脂によって成形することで、木枠と略同等の強度を保持しつつ、木枠と比較して肉厚を薄肉にすることができる。
【００１４】
外枠の肉厚を薄肉にすることで、成形後に生じる外枠の表面のひけの問題を無くし、外枠の軽量化或いは材料費等のコストダウンを図ることができるが、外枠の内壁面と内枠の外壁面との隙間が大きくなってしまう。このため、外枠の内壁面側に不正防止リブを立設させ、該隙間を埋めている。
【００１５】
不正防止リブによって外枠と内枠との間に設けられた隙間を埋めることで、該隙間にピアノ線などの不正具を侵入させようとしても不正防止リブで隙間が塞がれているため、機器内部に不正具を侵入させることはできない。
【００１６】
特に、下飾り部材の上端部に位置する箇所において、外枠の開口部の内壁面側部から下部に渡って連続して不正防止リブを設けることで、下飾り部材の上端部の左右に隙間が生じることはないため、不正具の侵入を防止することができる。
【００１７】
また、内枠と外枠との間に生じる隙間を塞ぐための部材を別途設ける必要がないため、部品点数も削減され、コストダウンを図ることができる。さらに、外枠に不正防止リブを設けることで、例えば、外枠を覆う下飾り部材に、不正防止リブに対応して外枠と内枠との隙間を埋める壁部を設ける必要はなくなる。
【００１８】
このため、下飾り部材の金型に、壁部を設けるためのスライドコアを配設する必要はないため、金型機構を単純化することができ、その分金型費用を安くすることができる。
【００１９】
また、不正防止リブは、外枠の内壁面に立設させるだけで良いため、外枠を成形する金型においても、不正防止リブの表面に金型の合わせ面を配置し、不正防止リブがアンダーカット部とならないようにするため、簡単な機構で製作される。
【００２０】
請求項２に記載の発明では、不正防止リブを外枠の内壁面の全周に渡って設けている。このため、外枠の上部、側部、下部において、繋ぎ目が生じないので、ピアノ線の侵入をさらに防止することができる。
【００２１】
また、不正防止リブを外枠の内壁面の全周に渡って設けることで、外枠の強度を向上させることができると共に、外枠の周壁の反り或いは撓みを防止することができ、寸法精度を高くすることができる。
【００２２】
【発明の実施の形態】
以下、図面を参照して本発明の実施の形態を説明する。
【００２３】
図１及び図２には、本発明の実施の形態に係るパチンコ機の表面側が示されており、図３には、パチンコ機の裏面側が示されている。
【００２４】
図１及び図２に示すように、パチンコ機１０には、矩形額縁状の外枠１２が備えられており、パチンコ機１０の外郭部を構成し、パチンコホールのパチンコ機隣接設置部である所謂「島」（図示省略）に固定される。
【００２５】
外枠１２の左側端部には、図４（なお、図４は外枠１２の表面側からの斜視図である）に示すように、ヒンジ部７０、７２が設けられており、外枠１２の右側端部には、鍵状の一対の係止部８４が外枠１２と一体に形成されている。
【００２６】
一方、図１及び図３に示すように、内枠１４の左側端部（図３では、内枠１４の右側端部）の上下には、ヒンジ板７８、８０が固定されている。このヒンジ板７８、８０がヒンジ部７０、７２に回転可能に軸支され、これにより、外枠１２に対して内枠１４が開閉可能となる。
【００２７】
また、内枠１４の自由端側には、一対のフック８２が固定されており、内枠１４が閉止されるとき、スライダー装置２３によって、フック８２が下方へ回動し、内枠１４が閉止されると、フック８２が元の位置に戻ると共に、フック８２に形成された溝部８２Ａが係止部８４に係止され、内枠１４が外枠１２に対して固定される。
【００２８】
さらに、内枠１４の前面上部には、ガラス枠２０が配置されており、ガラス枠２０の左側端部が内枠１４に軸支され、内枠１４に対して開閉可能に取付けられている。ここで、ガラス枠２０には、ガラスフレーム１８が備えられており、このガラスフレーム１８内にガラス板１６が装着されている。また、ガラス枠２０と内枠１４とは、内枠１４の右側端部に設けられたシリンダ錠２２により、ガラス枠２０が閉止された状態で施錠されるようになっている。
【００２９】
また、内枠１４の前面下部には、遊技者側へ突出した球皿部２４を備えた一体皿２６が設けられており、一体皿２６の左側端部が内枠１４に軸支され、内枠１４に対して開閉可能に取付けられている。
【００３０】
この一体皿２６の前面の上部右寄りには、球排出口２７が設けられており、貸し球や賞球が排出される。球排出口２７から排出された貸し球や賞球は、球皿部２４に貯留されると共に、球皿部２４の下流側に設けられた誘導通路２４Ａにより一列に整列されて打球発射装置２５（図３参照）へ誘導される。
【００３１】
また、一体皿２６の前面には、左側下部に灰皿２８が配置され、右側下部には打球発射装置２５から発射する遊技球の飛距離を調整するための発射ハンドル３０が設けられている。
【００３２】
さらに、一体皿２６の上部には、遊技盤３２が取り付けられており、ガラス板１６によって覆われるようになっている。この遊技盤３２は、ベニヤ板３３の表面に樹脂材料で形成されたシート状のセル３４が貼着されて形成されており、盤面３２Ａには、外バンド３６及び内バンド３７とレール飾り３８、３９とによって囲まれた略円形状の遊技領域４０が設けられている。
【００３３】
この遊技領域４０内に、背景画像や各種キャラクター画像等を含む装飾画（図示省略）が印刷されている。また、遊技領域４０には、特別図柄表示装置４２や大入賞口（変動入賞装置）４４等の役物、始動口４６や入賞口４８、風車５０等の遊技部品、左右側端部に配置されたサイド飾り５２Ａ、５２Ｂが取り付けられており、最下位置にアウト口５４が配置されている。
【００３４】
さらに、遊技盤３２の右側端部に配置されたレール飾り３８の右下隅には、証紙５６を貼り付た証紙台５８が取り付けられており、この証紙台５８は、左方に配置されたヒンジ板６０に支持されて、盤面３２Ａに対して開閉動するようになっている。
【００３５】
また、図２に示すように、パチンコ機１０の正面には、ガラス枠２０の前面に、賞球表示灯や完了表示灯等の機能を有する複数の表示灯６２及び賞球払出エラー表示灯６３Ａや払出状態エラー表示灯６３Ｂがガラス板１６（図１に示す遊技盤３２の遊技領域４０）を取り囲むように配列されており、左上隅近傍と右側端上部に、遊技の効果音を発生するスピーカー６４、６６が配置されている。
【００３６】
一方、図３に示すように、内枠１４に取付けられた遊技盤３２の裏面には、各種機構部品や電気部品等を搭載した機構枠体としての裏セット８６が取り付けられている。ここで、裏セット８６の構成について概略説明する。
【００３７】
裏セット８６の実装スペース１５には、主基板１０２及び図柄制御基板１０４が設けられており、主基板１０２及び図柄制御基板１０４の周りには、賞球払出機構８８が設けられている。この賞球払出機構８８には上タンク９０と下タンク９２とで構成されたタンクセット９４が備えられており、内枠１４裏面の上部左側に配置されている。
【００３８】
上タンク９０と下タンク９２とは、互いに連通しており、ホールに設置された島設備から供給された遊技球は一端、上タンク９０で貯球される。上タンク９０から下タンク９２へ移動した遊技球は、下タンク９２内で整列され、球詰まりしないようにして下タンク９２の下流側に配置された樋９６へ案内される。樋９６には遊技球が貯溜可能となっており、樋９６の下端部には賞球払出装置９８が配設されている。
【００３９】
一方、裏セット８６の下部には、払出制御基板１００が配設されており、賞球払出装置９８の通常の排出動作（賞球や貸球の排出動作）を制御している。遊技中に、パチンコ球が図１に示す遊技盤３２に設けられた入賞口４８に入賞すると、図示しない入賞球センサから出力される入賞球検出信号に基づいて、払出制御基板１００に配設された払出制御回路（図示省略）へ信号が送信され、これにより、賞球払出装置９８が駆動し、入賞価値に応じた所定数のパチンコ球（賞球）が排出される。
【００４０】
ここで、賞球払出装置９８には、球排出口２７（図１参照）と連通する球案内通路１０６が連設されており、球案内通路１０６へ排出された賞球は、球排出口２７を経て、球皿部２４（図１参照）へ払い出されるようになっている。
【００４１】
次に、本発明の実施の形態に係るパチンコ機の外枠について説明する。
【００４２】
外枠１２を、金型（図示省略）によってアルミニウムで成形している。図４に示すように、外枠１２の下部には、保持板１０８を外枠１２と一体に設けており、外枠１２の前面から一段下がった位置に形成している。
【００４３】
この保持板１０８の前面には、下飾り部材１１０（図１参照）が取り付け可能となっている。保持板１０８の両端側には、係合穴１０８Ａを貫通させており、下飾り部材１１０の裏面に形成された係合ボス（図示省略）を係合穴１０８Ａに係合させ、下飾り部材１１０を保持板１０８に固定させる。
【００４４】
また、保持板１０８には、内枠１４を外枠１２に軸支させる過程で、内枠１４の過重を受けるための載置部１０７が設けられている。このため、保持板１０８の裏面側にはこの載置部１０７を支持するためのステイ１０９（図３参照）が設けられている。このステイ１０９の肉厚は、外枠１２の周壁の肉厚と略同一としており、外枠１２の成形後にひけが生じないようにしている。
【００４５】
また、外枠１２の開口部１２Ａの左側端部の上下には、ヒンジ部７０、７２を外枠１２と一体に設けており、外枠１２の前面から張り出させている。このヒンジ部７０、７２には内枠１４（図３参照）に設けられたヒンジ板７８、８０（図３参照）が軸支され、外枠１２に対して内枠１４を開閉可能としている。
【００４６】
さらに、外枠１２の開口部１２Ａの左側端部には、内壁面に一対の係止部８４を外枠１２と一体に設けている。この係止部８４には、内枠１４に設けられたフック８２（図１参照）が係止可能となっており、係止部８４にフック８２が係止された状態で、内枠１４が外枠１２に固定される。
【００４７】
次に、本発明の実施の形態に係るパチンコ機の要旨について説明する。
【００４８】
図３及び図４に示すように、外枠１２を金型で一体成形することによって、木枠と略同等の強度を保持しつつ、木枠と比較して外枠１２の肉厚を薄肉にすることができる（木枠の肉厚：約１９ｍｍに対して外枠１２の肉厚：約３．５ｍｍ）。
【００４９】
外枠１２の肉厚を薄肉にすることで、成形後に生じる外枠１２の表面のひけの問題を無くし、外枠１２の軽量化或いは材料費等のコストダウンを図ることができるが、外枠１２の内壁面と内枠１４の外壁面との隙間Ｈが大きくなってしまう。
【００５０】
このため、外枠１２の内壁面には、外枠１２の前面側に、不正防止リブ１１８を外枠１２の内壁面の全周に渡って立設させている。ここで、外枠１２の下部については、保持板１０８の上端側が不正防止リブ１１８を構成している。
【００５１】
この不正防止リブ１１８を、内枠１４を外枠１２に固定させた状態で、外枠１２の内壁面と内枠１４の外壁面との間に生じる隙間Ｈを埋める高さとしており、内枠１４を外枠１２に固定させた状態で、外枠１２の内壁面と内枠１４の外壁面との間に生じる隙間Ｈを塞いでいる。
【００５２】
また、不正防止リブ１１８は、内枠１４を外枠１２へ閉止させるときの内枠１４のシリンダ錠２２等の移動軌跡上から退避させており、内枠１４を外枠１２へ閉止させるときに邪魔にならないようにしている。また、外枠１２の係止部８４は、係止部８４の周りを囲み、係止部８４を補強している。
【００５３】
次に、本発明の実施の形態に係るパチンコ機の作用について説明する。
【００５４】
図５には、図２に示す５−５線に沿った断面図が示されている。外枠１２の肉厚を薄肉とした分、外枠１２と内枠１４との間には、隙間Ｈが設けられるが、外枠１２の内周壁に不正防止リブ１１８を立設させることで、隙間Ｈを埋めることができる。
【００５５】
このように、不正防止リブ１１８によって外枠１２と内枠１４との間に設けられた隙間Ｈを埋めることで、隙間Ｈにピアノ線２００を侵入させようとしても不正防止リブ１１８で隙間Ｈが塞がれているため、機器内部に不正具を侵入させることはできない。
【００５６】
特に、不正防止リブ１１８を、外枠１２の開口部１２Ａの内壁面側部から保持板１０８の上端部に渡って連続して設けることで、下飾り部材１１０の上端部の左右に隙間が生じることはないため、下飾り部材１１０の上端部において、不正具の侵入を防止することができる。
【００５７】
また、図３及び図４に示すように、外枠１２の内壁面の全周に渡って不正防止リブ１１８を立設させることで、外枠１２の上部、側部、下部において、繋ぎ目が生じないため、ピアノ線２００の侵入をさらに防止することができる。
【００５８】
さらに、不正防止リブ１１８を外枠１２の内壁面の全周に渡って設けることで、外枠１２の強度を向上させることができると共に、外枠１２の周壁の反り或いは撓みを防止することができ、寸法精度を高くすることができる。
【００５９】
また、外枠１２を強化することで、一体成形される外枠１２の肉厚を薄肉にしても、外枠１２を補強するための補強部材を別途設ける必要はない。このため、枠組みするための組立て作業が不要となり、作業工数が低減されると共に、部品点数を削減することができる。従って、コストダウンを図ることができる。また、リサイクルにおいても、分解等の手間が要らないため、素材（金属）へのリサイクル性も良好になる。
【００６０】
また、外枠１２の係止部８４周りを不正防止リブ１１８によって囲んでいる。係止部８４には繰返し応力が掛かるため、不正防止リブ１１８で係止部８４周りを囲むことで、係止部８４が強化され、係止部８４の破損を防止することができる。
【００６１】
一方、外枠１２に不正防止リブ１１８を設けることで、図８に示すように、下飾り部材２０２に外枠２００と内枠２０４との隙間Ｈを埋める壁部２０２Ａを設ける必要はなくなる。
【００６２】
このため、図１に示す下飾り部材１１０では、単に保持板１０８の表面を覆うだけで良いため、壁部２０２Ａ（図８参照）のようにアンダーカット部を設ける必要がない。従って、下飾り部材１１０の金型機構を単純化することができ、その分金型費用を安くすることができる。
【００６３】
ここで、図４に示すように、不正防止リブ１１８は、外枠１２の内壁面に立設させるだけで良いため、外枠１２を成形する金型においても、不正防止リブ１１８の表面に金型の合わせ面を配置し、不正防止リブ１１８がアンダーカット部とならないようにするため、簡単な機構で製作される。
【００６４】
なお、ここでは、不正防止リブ１１８を外枠１２の内壁面の表面側に設けたが、図５に示すように、外枠１２と内枠１４との間に生じる隙間Ｈを埋めて、ピアノ線２００の侵入を阻止することができれば良いため、これに限るものではない。
【００６５】
例えば、図６に示すように、不正防止リブ１１８を外枠１２の内壁面の表面端部に設けても良いし、また、図７に示すように、内枠１４を閉止させた状態で不正防止リブ１１８と直交して配置される不正防止リブ１４Ａを内枠１４に立設させても良い。このように、内枠１４にも不正防止リブ１４Ａを立設させることで、ピアノ線２００の侵入を二重に防ぐことができる。
【００６６】
また、不正防止リブ１１８を外枠１２の内壁面の全周に渡って立設させたが、必ずしもこれに限るものではなく、断続的であっても良い。さらに、ここでは、外枠１２をアルミニウムで成形したが、これに限るものではなく、合成樹脂で成形しても良いのは勿論のことである。
【００６７】
以上、本発明を上述した特定の実施形態により詳細に説明したが、本発明はそれに限定されるものではなく、本発明の範囲内にて他の種々の実施形態が可能である。例えば、本形態では、一体皿構成としたが、上皿と下皿を別々に備えたパチンコ機に適用することもできる。
【００６８】
【発明の効果】
本発明は、上記構成としたので、請求項１に記載の発明では、不正防止リブによって外枠と内枠との間に設けられた隙間を埋めることで、該隙間にピアノ線などの不正具を侵入させようとしても不正防止リブで隙間が塞がれるため、機器内部に不正具を侵入させることはできない。特に、下飾り部材の上端部に位置する箇所において、外枠の開口部の内壁面側部から下部に渡って連続して不正防止リブを設けることで、下飾り部材の上端部の左右に隙間が生じることはないため、不正具の侵入を防止することができる。
【００６９】
また、内枠と外枠との間に生じる隙間を塞ぐための部材を別途設ける必要がないため、部品点数も削減され、コストダウンを図ることができる。さらに、下飾り部材の金型に、アンダーカット部を設けるためのスライドコアを配設する必要はないため、金型機構を単純化することができ、その分金型費用を安くすることができる。
【００７０】
請求項２に記載の発明では、外枠の上部、側部、下部において、繋ぎ目が生じないので、ピアノ線の侵入防止を強化することができる。また、内枠と外枠との間に生じる隙間を塞ぐための部材を別途設ける必要がないため、部品点数も削減され、コストダウンを図ることができる。さらに、外枠の強度を向上させることができると共に、外枠の周壁の反り或いは撓みを防止することができ、寸法精度を高くすることができる。
【図面の簡単な説明】
【図１】本発明の実施の形態に係るパチンコ機を示した斜視図である。
【図２】本発明の実施の形態に係るパチンコ機を示した正面図である。
【図３】本発明の実施の形態に係るパチンコ機を示した裏面図である。
【図４】本発明の実施の形態に係るパチンコ機を構成する外枠の表面側の斜視図である。
【図５】図２の５−５線断面図である。
【図６】図２の５−５線断面図の変形例である。
【図７】図２の５−５線断面図の他の変形例である。
【図８】従来のパチンコ機を示した断面図である。
【符号の説明】
１０   パチンコ機（遊技機）
１２   外枠
１４   内枠
１０８ 保持板（不正防止リブ）
１１８ 不正防止リブ
【図１】
2004188067.tif 000003
【図２】
2004188067.tif 000004
【図３】
2004188067.tif 000005
【図４】
2004188067.tif 000006
【図５】
2004188067.tif 000007
【図６】
2004188067.tif 000008
【図７】
2004188067.tif 000009
【図８】
2004188067.tif 000010